(57)【特許請求の範囲】
【請求項１】
電力を蓄積する蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、
前記放電順位に基づいて、外部からの要求に応じて出力することが必要となる必要電力を供給するために、複数の前記蓄電池それぞれが出力する放電電力を設定する放電電力設定部と
を備える蓄電池制御装置。
【請求項２】
前記蓄電池の寿命および出力を規定する２つのパラメータは、前記蓄電池の充電状態および充放電回数であり、
前記決定部は、前記蓄電池の充電状態および充放電回数に基づいて前記蓄電池を放電する順番が予め設定されたテーブルを参照して、前記放電順位を決定する
請求項１に記載の蓄電池制御装置。
【請求項３】
前記テーブルには、充放電回数が少ないマス目の行から優先的に、かつ、それぞれの行における充電状態が高いマス目から優先的に順番が設定される
請求項２に記載の蓄電池制御装置。
【請求項４】
前記放電電力設定部は、前記蓄電池が電力を出力可能な最大の最大出力、前記蓄電池が最も効率のよい最大効率で出力可能な定格出力、および、前記蓄電池が前記最大効率よりも低い所定の効率で出力可能な最小許容出力に基づいて、複数の前記蓄電池に対して放電電力を設定する
請求項１乃至３のいずれかに記載の蓄電池制御装置。
【請求項５】
前記放電電力設定部は、ｎ台の前記蓄電池に対して前記放電電力を設定する場合、前記必要電力が、前記定格出力のｎ倍より大きく前記最大出力のｎ倍以下であるとき、前記放電順位に従って、優先順位の高い前記蓄電池が優先的に前記最大出力で出力し、優先順位の低い前記蓄電池から順に優先的に前記定格出力で出力するように前記放電電力を設定する
請求項４に記載の蓄電池制御装置。
【請求項６】
前記放電電力設定部は、ｎ台の前記蓄電池に対して前記放電電力を設定する場合、前記必要電力が、前記最小許容出力のｎ倍より大きく前記定格出力のｎ倍以下であるとき、前記放電順位に従って、優先順位の高い前記蓄電池が優先的に前記定格出力で出力し、優先順位の低い前記蓄電池から順に優先的に前記最小許容出力で出力するように前記放電電力を設定する
請求項４に記載の蓄電池制御装置。
【請求項７】
前記放電電力設定部は、ｎ台の前記蓄電池に対して前記放電電力を設定する場合、前記必要電力が、前記最小許容出力のｎ倍以下であるとき、前記放電順位に従って、優先順位の高い前記蓄電池が優先的に前記最小許容出力で出力し、優先順位の低い前記蓄電池から順に優先的に出力を停止するように前記放電電力を設定する
請求項４に記載の蓄電池制御装置。
【請求項８】
複数の前記蓄電池から前記パラメータを取得する取得部と、
前記取得部が放電中の前記蓄電池から取得した前記パラメータが所定の閾値未満となったときに、前記決定部が放電を行う前記蓄電池を決定する処理を行うと判定する判定部と
をさらに備える請求項１乃至７のいずれかに記載の蓄電池制御装置。
【請求項９】
電力を蓄積する蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定し、
前記放電順位に基づいて、外部からの要求に応じて出力することが必要となる必要電力を供給するために、複数の前記蓄電池それぞれが出力する放電電力を設定する
ステップを含む蓄電池制御方法。
【請求項１０】
電力を蓄積する蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定し、
前記放電順位に基づいて、外部からの要求に応じて出力することが必要となる必要電力を供給するために、複数の前記蓄電池それぞれが出力する放電電力を設定する
ステップを含む処理をコンピュータに実行させるプログラム。
【請求項１１】
電力を蓄積する複数の蓄電池と、
前記蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、
前記放電順位に基づいて、外部からの要求に応じて出力することが必要となる必要電力を供給するために、複数の前記蓄電池それぞれが出力する放電電力を設定する放電電力設定部と
を備える蓄電システム。
【請求項１２】
少なくとも自然エネルギーを利用した直流電源、および、電力系統を介した交流電源のいずれか一方を含む電源と、
前記電源に電力配線を介して接続され、電力を消費する負荷と、
前記電源に対して前記電力配線を介して並列的に接続され、電力を蓄積する複数の蓄電池と、
前記蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、
前記放電順位に基づいて、前記負荷からの要求に応じて出力することが必要となる必要電力を供給するために、複数の前記蓄電池それぞれが出力する放電電力を設定する放電電力設定部と
を備える電源システム。
【発明の詳細な説明】
【技術分野】
【０００１】
本開示は、蓄電池制御装置、蓄電池制御方法、プログラム、蓄電システム、および電源システムに関し、特に、複数台の蓄電池が接続された構成においてより良好な性能を発揮することができるようにした蓄電池制御装置、蓄電池制御方法、プログラム、蓄電システム、および電源システムに関する。
【背景技術】
【０００２】
従来、１台の蓄電池では得ることができないような所定の容量を得るために、複数台の蓄電池が接続されて構成される蓄電システムが使用されている。このような蓄電システムでは、それぞれの蓄電池に対して充電または放電を行う制御方法に応じて、蓄電システムの性能が異なるものとなる。
【０００３】
例えば、特許文献１には、太陽電池および複数のインバータを有する電源システムにおいて、親機とされたインバータが、残りのインバータの運転または停止を、太陽電池の発電量の増減またはインバータからの交流出力量の増減に基づいて制御する技術が開示されている。
【０００４】
しかしながら、特許文献１で開示されている電源システムでは、特定のインバータに偏らせることなく運転させることはできるが、インバータの変換効率が考慮されていないため、より効率良く電力を出力することができないことが想定される。
【先行技術文献】
【特許文献】
【０００５】
【特許文献１】特開２０００−３０５６３３号公報
【発明の概要】
【発明が解決しようとする課題】
【０００６】
ところで、従来の蓄電システムでは、複数の蓄電池を安全に、かつ、充電状態を均等に放電する制御方法、または、変換効率が最大となるように放電する制御方法のいずれかに基づいて放電が行われている。従って、従来の蓄電システムでは、放電電流、放電時の蓄電池の温度、放電電圧などに基づいた制御と、出力に応じて効率が異なる蓄電池を組み合わせることにより広範囲で高効率とする制御とのいずれかが行われ、蓄電池の寿命および充電状態、並びに、変換効率の全てのバランスを考慮した制御は行われていなかった。
【０００７】
従って、蓄電池の寿命および充電状態、並びに、変換効率の全てのバランスを考慮して、システム全体として良好な性能を発揮できるようにすることが求められていた。
【０００８】
本開示は、このような状況に鑑みてなされたものであり、複数台の蓄電池が接続された構成においてより良好な性能を発揮することができるようにするものである。
【課題を解決するための手段】
【０００９】
本開示の一側面の蓄電池制御装置は、電力を蓄積する蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、前記放電順位に基づいて、外部からの要求に応じて出力することが必要となる必要電力を供給するために、複数の前記蓄電池それぞれが出力する放電電力を設定する放電電力設定部とを備える。
【００１０】
本開示の一側面の蓄電池制御方法またはプログラムは、電力を蓄積する蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定し、前記放電順位に基づいて、外部からの要求に応じて出力することが必要となる必要電力を供給するために、複数の前記蓄電池それぞれが出力する放電電力を設定するステップを含む。
【００１１】
本開示の一側面の蓄電システムは、電力を蓄積する複数の蓄電池と、前記蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、前記放電順位に基づいて、外部からの要求に応じて出力することが必要となる必要電力を供給するために、複数の前記蓄電池それぞれが出力する放電電力を設定する放電電力設定部とを備える。
【００１２】
本開示の一側面の蓄電システムは、少なくとも自然エネルギーを利用した直流電源、および、電力系統を介した交流電源のいずれか一方を含む電源と、前記電源に電力配線を介して接続され、電力を消費する負荷と、前記電源に対して前記電力配線を介して並列的に接続され、電力を蓄積する複数の蓄電池と、前記蓄電池の寿命および出力を規定する少なくとも２つのパラメータに応じて予め設定されている順番を参照し、複数の前記蓄電池から取得された前記パラメータに基づいて、複数の前記蓄電池に対して優先的に放電を行う放電順位を決定する決定部と、前記放電順位に基づいて、前記負荷からの要求に応じて出力することが必要となる必要電力を供給するために、複数の前記蓄電池それぞれが出力する放電電力を設定する放電電力設定部とを備える。
【００１３】
本開示の一側面においては、電力を蓄積する蓄電池の寿命および出力を規定する少なくとも２つのパラメータに応じて予め設定されている順番を参照し、複数の蓄電池から取得されたパラメータに基づいて、複数の蓄電池に対して優先的に放電を行う放電順位が決定され、その放電順位に基づいて、外部からの要求に応じて出力することが必要となる必要電力を供給するために、複数の蓄電池それぞれが出力する放電電力が設定される。
【発明の効果】
【００１４】
本開示の一側面によれば、複数台の蓄電池が接続された構成においてより良好な性能を発揮することができる。
【図面の簡単な説明】
【００１５】
【図１】本技術を適用した蓄電システムの第１の実施の形態の構成例を示すブロック図である。
【図２】放電順番テーブルについて説明する図である。
【図３】蓄電池制御装置の構成例を示すブロック図である。
【図４】放電順番テーブルを参照して、蓄電池を放電する順番について説明する図である。
【図５】蓄電装置の出力容量および変換効率の関係を示す図である。
【図６】放電電力を設定する処理について説明する図である。
【図７】蓄電池の放電を制御する方法について説明するフローチャートである。
【図８】放電電力設定処理を説明するフローチャートである。
【図９】第１の設定処理を説明するフローチャートである。
【図１０】第２の設定処理を説明するフローチャートである。
【図１１】第３の設定処理を説明するフローチャートである。
【図１２】停電時に最大の容量で駆動できる時間について説明する図である。
【図１３】本技術を適用した蓄電システムの第２の実施の形態の構成例を示すブロック図である。
【発明を実施するための形態】
【００１６】
以下、本技術を適用した具体的な実施の形態について、図面を参照しながら詳細に説明する。
【００１７】
図１は、本技術を適用した蓄電システムの第１の実施の形態の構成例を示すブロック図である。
【００１８】
図１において、蓄電システム１１は、３台の蓄電装置１２−１乃至１２−３および制御装置１３を備えて構成されている。また、蓄電システム１１を含む電源システムは、蓄電システム１１に電力を伝送する電力配線１４を介して、電力系統を介して電力を供給する電源１５、並びに、電力を消費する負荷１６−１および１６−２が接続されて構成される。そして、電源１５には、太陽光や風力などの自然エネルギーを利用した、または燃料電池を用いた直流電源と、電力系統を介して電力を供給する商用電源などの交流電源とが含まれる。
【００１９】
蓄電装置１２−１乃至１２−３は、電力配線１４を介して、電源１５に対して並列に接続されるとともに、負荷１６−１および１６−２に接続されている。そして、蓄電装置１２−１乃至１２−３は、電力配線１４を介して電源１５から供給される電力を蓄積し、蓄積している電力を、電力配線１４を介して負荷１６−１および１６−２に供給する。
【００２０】
また、蓄電装置１２−１乃至１２−３は、蓄電池２１−１乃至２１−３、充電部２２−１乃至２２−３、放電部２３−１乃至２３−３、およびバッテリマネジメントシステム（BMS：Battery Management System）２４−１乃至２４−３をそれぞれ備えて構成される。なお、蓄電装置１２−１乃至１２−３は、それぞれ同様に構成されており、以下、蓄電装置１２−１乃至１２−３を区別する必要ない場合には蓄電装置１２と称する。また、蓄電池２１−１乃至２１−３、充電部２２−１乃至２２−３、放電部２３−１乃至２３−３、およびバッテリマネジメントシステム２４−１乃至２４−３についても同様とする。
【００２１】
蓄電池２１は、所定の容量の電力を蓄積することができ、規定の回数の充放電を行うまで規定の充電能力を維持することができる。ここで、蓄電池２１が電力を蓄積することが可能な定格容量に対する、蓄電池２１に蓄積されている電力の充電残量の割合を、蓄電池２１の充電状態（State Of Charge）と称し、蓄電池２１に充放電が行われた回数を充放電回数と称する。なお、充電状態は、蓄電池２１の出力を規定し、充放電回数は、蓄電池２１の寿命を規定する。
【００２２】
充電部２２は、制御装置１３の制御に従い、電力配線１４を介して供給される電力を、蓄電池２１の電圧に応じてAC/DC（Alternating Current / Direct Current）変換して、蓄電池２１に対する充電を行う。
【００２３】
放電部２３は、制御装置１３の制御に従い、蓄電池２１に蓄積されている電力をDC/AC（Direct Current / Alternating Current）変換して、例えば、電力配線１４を介して伝送される電力の位相などに合わせて電力配線１４に出力し、負荷１６−１および１６−２に供給する。
【００２４】
バッテリマネジメントシステム２４は、制御装置１３と通信を行い、蓄電池２１を管理する。例えば、バッテリマネジメントシステム２４は、蓄電池２１の充電状態を測定したり、蓄電池２１の充放電回数をカウントしたりして、蓄電池２１の充電状態および充放電回数を示すデータを制御装置１３に送信する。
【００２５】
制御装置１３は、入出力部３１、メモリ３２、およびCPU（Central Processing Unit）３３を備えて構成される。
【００２６】
入出力部３１は、蓄電装置１２と通信を行うためのインタフェースであり、バッテリマネジメントシステム２４から送信されてくるデータを取得し、充電部２２に対して充電を指示する制御信号を送信し、放電部２３に対して放電を指示する制御信号を送信する。
【００２７】
メモリ３２は、CPU３３が実行するプログラムや、CPU３３がプログラムを実行する際に必要な各種のデータなどを記憶する。例えば、メモリ３２は、CPU３３が、蓄電装置１２−１乃至１２−３の放電を制御するプログラムを実行したときに、蓄電装置１２−１乃至１２−３の放電順番を決定するのに参照する放電順番テーブル（後述の図２参照）を記憶する。
【００２８】
CPU３３は、メモリ３２に記憶されているプログラムを読み出して実行し、蓄電システム１１全体の制御を行い、例えば、蓄電装置１２−１乃至１２−３の放電を制御する。
【００２９】
次に、図２を参照して、メモリ３２に記憶されている放電順番テーブルについて説明する。
【００３０】
図２に示すように、放電順番テーブルは、蓄電池２１の充電状態および充放電回数に基づいて設定される。図２の例では、放電順番テーブルは６行×６列のマス目で構成され、放電順番テーブルの各マス目には、最も優先順位の高い放電順番「１」から、最も優先順位の低い放電順番「３６」までが設定されている。
【００３１】
放電順番テーブルの列方向は、充放電回数ＣＮＴ０乃至ＣＮＴ６により区分されており、充放電回数ＣＮＴ０は０回に設定され、充放電回数ＣＮＴ６は、例えば、蓄電池２１の充電能力に応じた回数（一例として、3000〜4000回）に設定される。さらに、充放電回数ＣＮＴ３は、例えば、蓄電池２１の交換を促す基準となる第１の閾値として、１日あたりの平均的な充放電回数に対して蓄電池２１の交換に要する日数を積算した回数に、所定の余裕係数を加算した回数が設定される。そして、充放電回数ＣＮＴ１およびＣＮＴ２は、充放電回数ＣＮＴ０から充放電回数ＣＮＴ３までを均等に区分するように設定され、充放電回数ＣＮＴ４およびＣＮＴ５は、充放電回数ＣＮＴ３から充放電回数ＣＮＴ６までを均等に区分するように設定される。なお、充放電回数ＣＮＴ１およびＣＮＴ２、並びに、充放電回数ＣＮＴ４およびＣＮＴ５は均等でなく、それぞれ任意の割合で設定してもよい。
【００３２】
放電順番テーブルの行方向は、充電状態ＳＯＣ０乃至ＳＯＣ６により区分されており、例えば、充電状態ＳＯＣ０は０％に設定され、充電状態ＳＯＣ６は１００％に設定される。さらに、充電状態ＳＯＣ３は、例えば、放電順番を決定する処理を行うか否かの判定の基準となる第２の閾値として、例えば、必要な時間と必要な電力とを積算した値を蓄電池２１の定格容量で除算した数値に、所定の余裕係数を加算した数値が設定される。そして、充電状態ＳＯＣ１およびＳＯＣ２は、充電状態ＳＯＣ０から充電状態ＳＯＣ３までを均等に区分するように設定され、充電状態ＳＯＣ４およびＳＯＣ５は、充電状態ＳＯＣ３から充電状態ＳＯＣ６までを均等に区分するように設定される。なお、充電状態ＳＯＣ１およびＳＯＣ２、並びに、充電状態ＳＯＣ４およびＳＯＣ５は均等でなく、それぞれ任意の割合で設定してもよい。
【００３３】
これにより、放電順番テーブルは、第１の閾値である充放電回数ＣＮＴ３と、第２の閾値である充電状態ＳＯＣ３とによって、第１乃至第４のグループに分類される。第１のグループは、充放電回数が充放電回数ＣＮＴ３以下であり、かつ、充電状態が充電状態ＳＯＣ３より大である９つのマス目からなり、第２のグループは、充放電回数が充放電回数ＣＮＴ３以下であり、かつ、充電状態が充電状態ＳＯＣ３以下である９つのマス目からなる。また、第３のグループは、充放電回数が充放電回数ＣＮＴ３より大であり、かつ、充電状態が充電状態ＳＯＣ３より大である９つのマス目からなり、第４のグループは、充放電回数が充放電回数ＣＮＴ３より大であり、かつ、充電状態が充電状態ＳＯＣ３以下である９つのマス目からなる。
【００３４】
そして、第１のグループの９つのマス目には、優先順位が最も高い放電順番「１」から放電順番「９」までが設定され、第２のグループの９のマス目には、第１のグループの次に優先順位が高い放電順番「１０」から放電順番「１８」までが設定される。また、第３のグループの９つのマス目には、第２のグループの次に優先順位が高い放電順番「１９」から放電順番「２７」までが設定され、第４のグループの９のマス目には、第３のグループの次に優先順位が高い放電順番「２８」から放電順番「３６」までが設定される。
【００３５】
さらに、それぞれのグループにおいて、充放電回数が少ないマス目の行から優先的に、かつ、それぞれの行における充電状態が高いマス目から優先的に、優先順位の高い放電順番が順次設定される。
【００３６】
つまり、第１のグループでは、まず、充放電回数が最も少ない充放電回数ＣＮＴ０およびＣＮＴ１で区分されるマス目の行において、充電状態が最も高い充電状態ＳＯＣ５およびＳＯＣ６で区分されるマス目に放電順番「１」が設定され、充電状態が次に高い充電状態ＳＯＣ４およびＳＯＣ５で区分されるマス目に放電順番「２」が設定され、充電状態が次に高い充電状態ＳＯＣ３およびＳＯＣ４で区分されるマス目に放電順番「３」が設定される。次に、充放電回数が２番目に少ない充放電回数ＣＮＴ１およびＣＮＴ２で区分されるマス目の行において、充電状態が最も高い充電状態ＳＯＣ５およびＳＯＣ６で区分されるマス目に放電順番「４」が設定され、充電状態が次に高い充電状態ＳＯＣ４およびＳＯＣ５で区分されるマス目に放電順番「５」が設定され、充電状態が次に高い充電状態ＳＯＣ３およびＳＯＣ４で区分されるマス目に放電順番「６」が設定される。
【００３７】
さらに、充放電回数が３番目に少ない充放電回数ＣＮＴ２およびＣＮＴ３で区分されるマス目の行において、充電状態が最も高い充電状態ＳＯＣ５およびＳＯＣ６で区分されるマス目に放電順番「７」が設定され、充電状態が次に高い充電状態ＳＯＣ４およびＳＯＣ５で区分されるマス目に放電順番「８」が設定され、充電状態が次に高い充電状態ＳＯＣ３およびＳＯＣ４で区分されるマス目に放電順番「９」が設定される。
【００３８】
このように、第１のグループにおいて、充放電回数が少ないマス目の行から優先的に、かつ、それぞれの行における充電状態が高いマス目から優先的に、放電順番「１」から放電順番「９」までが設定される。
【００３９】
同様に、第２のグループにおいて、放電順番「１０」から放電順番「１８」までが設定され、第３のグループにおいて、放電順番「１９」から放電順番「２７」までが設定され、第４のグループにおいて、放電順番「２８」から放電順番「３６」までが設定される。
【００４０】
このように放電順番が設定された放電順番テーブルが、制御装置１３のメモリ３２に記憶されている。そして、制御装置１３では、CPU３３が、放電順番テーブルを参照して蓄電装置１２の放電順番を決定し、その放電順番に基づいて蓄電装置１２の放電を制御するプログラムを実行することにより、蓄電池制御装置としての機能が実現される。
【００４１】
次に、図３は、CPU３３が、放電順番テーブルを参照して蓄電装置１２の放電順番を決定し、その放電順番に基づいて蓄電装置１２の放電を制御する蓄電池制御装置として機能するときの機能ブロック図が示されている。
【００４２】
図３に示すように、蓄電池制御装置４１は、データ取得部４２、放電順番決定部４３、放電電力設定処理部４４、放電指示部４５、および、判定部４６を備えて構成される。
【００４３】
データ取得部４２は、図１の入出力部３１を介して、定期的に、蓄電装置１２−１乃至１２−３のバッテリマネジメントシステム２４−１乃至２４−３とそれぞれ通信を行い、蓄電池２１−１乃至２１−３の充電状態および充放電回数を示すデータを取得する。そして、データ取得部４２は、蓄電池２１−１乃至２１−３の充電状態および充放電回数を示すデータを、放電順番決定部４３および判定部４６に供給する。
【００４４】
放電順番決定部４３は、データ取得部４２から供給された蓄電池２１−１乃至２１−３の充電状態および充放電回数を示すデータに基づいて、メモリ３２に記憶されている放電順番テーブルを参照し、蓄電池２１−１乃至２１−３に対する放電順番を決定する。
【００４５】
放電電力設定処理部４４は、負荷１６からの要求に応じて、蓄電システム１１から出力することが必要となる必要電力を供給するために、放電順番決定部４３により決定された放電順番に基づいて、蓄電池２１−１乃至２１−３それぞれが出力する放電電力を設定する放電電力設定処理を行う。なお、放電電力設定処理部４４が行う放電電力設定処理については、図６を参照して後述する。
【００４６】
放電指示部４５は、放電電力設定処理部４４が放電電力設定処理を行って蓄電池２１−１乃至２１−３に対して設定した放電電力で出力するように指示する制御信号を、入出力部３１を介して放電部２３−１乃至２３−３送信する。これにより、蓄電池２１−１乃至２１−３は、それぞれ設定された放電電力で出力を行う。また、例えば、放電指示部４５は、１台ずつ放電を行う場合には、蓄電池２１−１乃至２１−３の放電順番のうちの、最も優先順位の高い放電順番が決定された蓄電池２１を、放電を行う蓄電池２１として選択して、その蓄電池２１の放電部２３に対して放電を行うように指示する制御信号を送信する。
【００４７】
判定部４６は、データ取得部４２が定期的に取得する蓄電池２１−１乃至２１−３の充電状態を示すデータに基づいて、放電順番決定部４３により放電順番を決定する処理を行うか否かを判定する。例えば、判定部４６は、放電中の蓄電池２１の充電状態が、上述した第２の閾値未満となった場合、放電順番決定部４３により放電順番を決定する処理を行うと判定する。
【００４８】
次に、図４を参照して、蓄電池制御装置４１による制御に従って、蓄電池２１−１乃至２１−３が放電される順番について説明する。但し、図４では、１台ずつ放電を行う例について説明する。
【００４９】
なお、図４では、列方向が、０回、２５回、５０回、７５回、および１００回の充放電回数により区分され、行方向が、０％、２５％、５０％、７５％、および１００％の充電状態により区分されている放電順番テーブルを用いて説明を行う。また、この放電順番テーブルでは、上述した第１の閾値が５０回に設定され、上述した第２の閾値が５０％に設定されており、放電順番「１」から放電順番「１６」までが設定されている。
【００５０】
例えば、図４の左側に示すように、データ取得部４２が取得したデータにおいて、蓄電池２１−１の充電状態が５１％であり、かつ、蓄電池２１−１の充放電回数が１０回であることが示されているとする。同様に、蓄電池２１−２の充電状態が５５％であり、かつ、蓄電池２１−２の充放電回数が３０回であることが示されており、蓄電池２１−３の充電状態が１０％であり、かつ、蓄電池２１−３の充放電回数が３０回であることが示されているとする。
【００５１】
この場合、放電順番決定部４３は、蓄電池２１−１の充電状態が５０％を超えていて７５％以下であるとともに、蓄電池２１−１の充放電回数が２５回以下であることより、蓄電池２１−１に対して放電順番「２」を決定する。また、放電順番決定部４３は、蓄電池２１−２の充電状態が５０％を超えていて７５％以下であるとともに、蓄電池２１−２の充放電回数が２５回より多く５０回以下であることより、蓄電池２１−２に対して放電順番「４」を決定する。同様に、放電順番決定部４３は、蓄電池２１−３の充電状態が２５％以下であるとともに、蓄電池２１−３の充放電回数が２５回より多く５０回以下であることより、蓄電池２１−３に対して放電順番「８」を決定する。
【００５２】
従って、放電指示部４５は、蓄電池２１−１乃至２１−３のうちの、最も優先順位が高い放電順番「２」が設定された蓄電池２１−１に対して放電を指示する制御信号を送信し、放電部２３−１により蓄電池２１−１の放電が行われる。
【００５３】
その後、図４の中央に示すように、放電中の蓄電池２１−１の充電状態が４９％になると、判定部４６は、データ取得部４２が定期的に取得するデータに基づき、放電中の蓄電池２１−１の充電状態が、第２の閾値である５０％未満になったのに従って、放電順番を決定する処理を行うと判定する。
【００５４】
これに応じて、データ取得部４２は、蓄電池２１−１乃至２１−３の充電状態および充放電回数を示すデータを取得し、放電順番決定部４３は、それらのデータに基づいて放電順番を決定する処理を行う。
【００５５】
図４の例では、蓄電池２１−１の充電状態が４９％に変化しているのに応じて、放電順番決定部４３は、放電順番テーブルを参照し、蓄電池２１−１に対して放電順番「５」を決定する。なお、蓄電池２１−２の充電状態および充放電回数は変化していないため、蓄電池２１−２は放電順番「４」のままであり、同様に、蓄電池２１−３は放電順番「８」のままである。
【００５６】
従って、放電指示部４５は、蓄電池２１−１乃至２１−３のうちの、最も優先順位の高い放電順番「４」が設定された蓄電池２１−２に対して放電を指示する制御信号を送信し、放電部２３−２により蓄電池２１−２の放電が行われる。また、このとき、蓄電池２１−１に対する放電が終了し、蓄電池２１−１の充放電回数がカウントアップされて１１回となる。
【００５７】
その後、図４の右側に示すように、放電中の蓄電池２１−２の充電状態が４９％になると、判定部４６は、データ取得部４２が定期的に取得するデータに基づき、放電中の蓄電池２１−２の充電状態が、第２の閾値である５０％未満になったのに従って、放電順番を決定する処理を行うと判定する。
【００５８】
これに応じて、データ取得部４２は、蓄電池２１−１乃至２１−３の充電状態および充放電回数を示すデータを取得し、放電順番決定部４３は、それらのデータに基づいて放電順番を決定する処理を行う。
【００５９】
図４の例では、蓄電池２１−２の充電状態が４９％に変化しているのに応じて、放電順番決定部４３は、放電順番テーブルを参照し、蓄電池２１−２に対して放電順番「７」を決定する。なお、蓄電池２１−１の充電状態および充放電回数は変化していないため、蓄電池２１−１は放電順番「５」のままであり、同様に、蓄電池２１−３は放電順番「８」のままである。
【００６０】
従って、放電指示部４５は、蓄電池２１−１乃至２１−３のうちの、最も優先順位の高い放電順番「５」が設定された蓄電池２１−１に対して放電を指示する制御信号を送信し、放電部２３−１により蓄電池２１−１の放電が行われる。また、このとき、蓄電池２１−２に対する放電が終了し、蓄電池２１−２の充放電回数がカウントアップされて３１回となり、以下、同様の処理が繰り返される。
【００６１】
そして、このように放電順番決定部４３が決定した放電順番に基づいて、放電電力設定処理部４４は、蓄電池２１−１乃至２１−３それぞれが出力する放電電力を設定する放電電力設定処理を行う。このとき、放電電力設定処理部４４は、蓄電装置１２が電力を出力する際の変換効率、例えば、蓄電池２１に蓄積されている電力を放電部２３がDC/AC変換する際の変換効率に応じて、蓄電池２１から出力する放電電力を決定する。一般的に、蓄電装置１２の変換効率は、出力容量が定格出力であるときに最も高くなり、出力容量が定格出力から低下するのに従って低下する。
【００６２】
図５を参照して、蓄電装置１２の出力容量および変換効率の関係について説明する。図５において、横軸は蓄電装置１２の出力容量を示し、縦軸は蓄電装置１２の変換効率を示している。
【００６３】
図５に示すように、蓄電装置１２の出力容量が定格出力Ｐcstであるとき、蓄電装置１２の変換効率は最も大きな最大効率となり、蓄電装置１２の出力容量が定格出力Ｐcstから低下するのに応じて、蓄電装置１２の変換効率が低下する。また、蓄電装置１２の出力容量が放電部２３により出力可能な最大の最大出力Ｐmaxであるとき、蓄電装置１２の変換効率は、最大効率よりも若干低下する。
【００６４】
また、蓄電装置１２から電力の出力を一時的に停止させた後、電力の出力を再開させるとき、電力配線１４に伝送されている交流の電力に対して位相を合わせるためなどの手順を踏む必要があるため、停止状態の蓄電装置１２から瞬時に所要の電力を出力することは困難である。そこで、蓄電装置１２の出力を完全に停止するのではなく、ある程度の許容できる変換効率である許容効率（例えば、最大効率の８０〜９０％）を定めておき、許容効率で電力が出力されるときの許容最小出力Ｐminを求めておく。
【００６５】
そして、放電電力設定処理部４４は、蓄電装置１２−１乃至１２−３が許容最小出力Ｐmin以上の出力を行うことを優先するように、蓄電システム１１全体の出力を設定する。
【００６６】
次に、図６を参照して、放電電力設定処理部４４が３台の蓄電装置１２について放電電力を設定する処理について説明する。なお、３台の蓄電装置１２について、最大出力Ｐmax、定格出力Ｐcst、および許容最小出力Ｐminは同一であるものとする。
【００６７】
放電電力設定処理部４４は、負荷１６からの要求に応じて、蓄電システム１１から出力することが必要となる必要電力Ｐｎに基づいて処理を行う。例えば、放電電力設定処理部４４は、必要電力Ｐｎが許容最小出力Ｐminの３倍以下である場合には、３台の蓄電装置１２それぞれが許容最小出力Ｐmin以下で出力するように放電電力Ｐoutを設定する。
【００６８】
また、放電電力設定処理部４４は、必要電力Ｐｎが許容最小出力Ｐminの３倍より大きく定格出力Ｐcstの３倍以下である場合には、３台の蓄電装置１２それぞれが許容最小出力Ｐminから定格出力Ｐcstまでの範囲で出力するように放電電力Ｐoutを設定する。そして、放電電力設定処理部４４は、必要電力Ｐｎが定格出力Ｐcstの３倍より大きく最大出力Ｐmaxの３倍以下である場合には、３台の蓄電装置１２それぞれが定格出力Ｐcstから最大出力Ｐmaxまでの範囲で出力するように放電電力Ｐoutを設定する。
【００６９】
さらに、放電電力設定処理部４４は、蓄電装置１２の蓄電池２１に対して放電順番決定部４３により決定された放電順番に従った優先順位に基づいて、３台の蓄電装置１２ごとの放電電力Ｐoutを設定する。
【００７０】
なお、以下の説明において、適宜、最も優先順位の高い蓄電装置１２の出力電力を放電電力Ｐout_1とし、同様に、許容最小出力を許容最小出力Ｐmin_1とし、定格出力を定格出力Ｐcst_1とし、最大出力を最大出力Ｐmax_1とする。また、２番目に優先順位の高い蓄電装置１２の出力電力を放電電力Ｐout_2とし、同様に、許容最小出力を許容最小出力Ｐmin_2とし、定格出力を定格出力Ｐcst_2とし、最大出力を最大出力Ｐmax_2とする。また、３番目に優先順位の高い蓄電装置１２の出力電力を放電電力Ｐout_3とし、同様に、許容最小出力を許容最小出力Ｐmin_3とし、定格出力を定格出力Ｐcst_3とし、最大出力を最大出力Ｐmax_3とする。
【００７１】
例えば、放電電力設定処理部４４は、必要電力Ｐｎが許容最小出力Ｐmin未満であるケースＣ１では、放電電力Ｐout_1が、必要電力Ｐｎとなるように設定する（Ｐout_1＝Ｐｎ）。また、放電電力設定処理部４４は、必要電力Ｐｎが許容最小出力Ｐminと等しくなるケースＣ２では、放電電力Ｐout_1を、許容最小出力Ｐmin_1に設定する（Ｐout_1＝Ｐmin_1）。
【００７２】
そして、放電電力設定処理部４４は、必要電力Ｐｎが、許容最小出力Ｐminより大きく、かつ、許容最小出力Ｐminの２倍未満であるケースＣ３では、放電電力Ｐout_1を許容最小出力Ｐmin_1に設定する（Ｐout_1＝Ｐmin_1）。さらに、放電電力設定処理部４４は、放電電力Ｐout_2が、必要電力Ｐｎから許容最小出力Ｐmin_1を減算した値となるように設定する（Ｐout_2＝Ｐｎ−Ｐmin_1）。
【００７３】
また、放電電力設定処理部４４は、必要電力Ｐｎが許容最小出力Ｐminの２倍と等しくなるケースＣ４では、放電電力Ｐout_1および放電電力Ｐout_2を、許容最小出力Ｐmin_1および許容最小出力Ｐmin_2にそれぞれ設定する（Ｐout_1＝Ｐmin_1，Ｐout_2＝Ｐmin_2）。
【００７４】
そして、放電電力設定処理部４４は、必要電力Ｐｎが、許容最小出力Ｐminの２倍より大きく、かつ、許容最小出力Ｐminの３倍未満であるケースＣ５では、放電電力Ｐout_1および放電電力Ｐout_2を、許容最小出力Ｐmin_1および許容最小出力Ｐmin_2にそれぞれ設定する（Ｐout_1＝Ｐmin_1，Ｐout_2＝Ｐmin_2）。さらに、放電電力設定処理部４４は、放電電力Ｐout_3が、必要電力Ｐｎから許容最小出力Ｐmin_1および許容最小出力Ｐmin_2を減算した値となるように設定する（Ｐout_3＝Ｐｎ−Ｐmin_1−Ｐmin_2）。
【００７５】
また、放電電力設定処理部４４は、必要電力Ｐｎが許容最小出力Ｐminの３倍と等しくなるケースＣ６では、放電電力Ｐout_1、放電電力Ｐout_2、および放電電力Ｐout_3を、許容最小出力Ｐmin_1、許容最小出力Ｐmin_2、許容最小出力Ｐmin_3にそれぞれ設定する（Ｐout_1＝Ｐmin_1，Ｐout_2＝Ｐmin_2，Ｐout_3＝Ｐmin_3）。
【００７６】
そして、放電電力設定処理部４４は、必要電力Ｐｎが、許容最小出力Ｐminの３倍より大きく、かつ、許容最小出力Ｐminの２倍の値と定格出力Ｐcstとを加算した値未満であるケースＣ７では、放電電力Ｐout_1が、必要電力Ｐｎから許容最小出力Ｐmin_2および許容最小出力Ｐmin_3を減算した値となるように設定する（Ｐout_1＝Ｐｎ−Ｐmin_2−Ｐmin_3）。さらに、放電電力設定処理部４４は、放電電力Ｐout_2および放電電力Ｐout_3を、許容最小出力Ｐmin_2および許容最小出力Ｐmin_3にそれぞれ設定する（Ｐout_2＝Ｐmin_2，Ｐout_3＝Ｐmin_3）。
【００７７】
また、放電電力設定処理部４４は、必要電力Ｐｎが許容最小出力Ｐminの２倍の値と定格出力Ｐcstとを加算した値と等しくなるケースＣ８では、放電電力Ｐout_1を定格出力Ｐcst_1に設定し（Ｐout_1＝Ｐcst_1）、放電電力Ｐout_2および放電電力Ｐout_3を許容最小出力Ｐmin_2および許容最小出力Ｐmin_3に設定する（Ｐout_2＝Ｐmin_2，Ｐout_3＝Ｐmin_3）。
【００７８】
そして、放電電力設定処理部４４は、必要電力Ｐｎが、許容最小出力Ｐminの２倍の値と定格出力Ｐcstとを加算した値より大きく、かつ、許容最小出力Ｐminと定格出力Ｐcstの２倍の値とを加算した値未満であるケースＣ９では、放電電力Ｐout_2が必要電力Ｐｎから定格出力Ｐcst_1および許容最小出力Ｐmin_3を減算した値となるように設定する（Ｐout_2＝Ｐｎ−Ｐcst_1−Ｐmin_3）。さらに、放電電力設定処理部４４は、放電電力Ｐout_1を定格出力Ｐcst_1に設定し（Ｐout_1＝Ｐcst_1）、放電電力Ｐout_3を許容最小出力Ｐmin_3に設定する（Ｐout_3＝Ｐmin_3）。
【００７９】
また、放電電力設定処理部４４は、必要電力Ｐｎが許容最小出力Ｐminと定格出力Ｐcstの２倍の値とを加算した値と等しくなるケースＣ１０では、放電電力Ｐout_1および放電電力Ｐout_2を定格出力Ｐcst_1および定格出力Ｐcst_2にそれぞれ設定し（Ｐout_1＝Ｐcst_1，Ｐout_2＝Ｐcst_2）、放電電力Ｐout_3を許容最小出力Ｐmin_3に設定する（Ｐout_3＝Ｐmin_3）。
【００８０】
そして、放電電力設定処理部４４は、必要電力Ｐｎが、許容最小出力Ｐminと定格出力Ｐcstの２倍の値とを加算した値より大きく、かつ、定格出力Ｐcstの３倍未満であるケースＣ１１では、放電電力Ｐout3が必要電力Ｐｎから定格出力Ｐcst_1および定格出力Ｐcst_2を減算した値となるように設定する（Ｐout_3＝Ｐｎ−Ｐcst_1−Ｐcst_2）。さらに、放電電力設定処理部４４は、放電電力Ｐout_1および放電電力Ｐout_2を定格出力Ｐcst_1および定格出力Ｐcst_2にそれぞれ設定する（Ｐout_1＝Ｐcst_1，Ｐout_2＝Ｐcst_2）。
【００８１】
また、放電電力設定処理部４４は、必要電力Ｐｎが定格出力Ｐcstの３倍と等しくなるケースＣ１２では、放電電力Ｐout_1、放電電力Ｐout_2、および放電電力Ｐout_3を、許定格出力Ｐcst_1、定格出力Ｐcst_2、定格出力Ｐcst_3にそれぞれ設定する（Ｐout_1＝Ｐcst_1，Ｐout_2＝Ｐcst_2，Ｐout_3＝Ｐcst_3）。
【００８２】
そして、放電電力設定処理部４４は、必要電力Ｐｎが、定格出力Ｐcstを３倍した値より大きく、かつ、最大出力Ｐmaxと定格出力Ｐcstの２倍の値とを加算した値未満であるケースＣ１３では、放電電力Ｐout_1が必要電力Ｐｎから定格出力Ｐcst_2および定格出力Ｐcst_3を減算した値となるように設定する（Ｐout_1＝Ｐｎ−Ｐcst_2−Ｐcst_3）。さらに、放電電力設定処理部４４は、放電電力Ｐout_2および放電電力Ｐout_3を定格出力Ｐcst_2および定格出力Ｐcst_3にそれぞれ設定する（Ｐout_2＝Ｐcst_2，Ｐout_3＝Ｐcst_3）。
【００８３】
また、放電電力設定処理部４４は、必要電力Ｐｎが最大出力Ｐmaxと定格出力Ｐcstの２倍の値とを加算した値と等しくなるケースＣ１４では、放電電力Ｐout_1、放電電力Ｐout_2、および放電電力Ｐout_3を、最大出力Ｐmax_1、定格出力Ｐcst_2、定格出力Ｐcst_3にそれぞれ設定する（Ｐout_1＝Ｐmax_1，Ｐout_2＝Ｐcst_2，Ｐout_3＝Ｐcst_3）。
【００８４】
そして、放電電力設定処理部４４は、必要電力Ｐｎが、最大出力Ｐmaxと定格出力Ｐcstの２倍の値とを加算した値より大きく、かつ、最大出力Ｐmaxの２倍の値と定格出力Ｐcstとを加算した値未満であるケースＣ１５では、放電電力Ｐout_2が必要電力Ｐｎから最大出力Ｐmax_1および定格出力Ｐcst_3を減算した値となるように設定する（Ｐout_2＝Ｐｎ−Ｐmax_1−Ｐcst_3）。さらに、放電電力設定処理部４４は、放電電力Ｐout_1を最大出力Ｐmax_1に設定し、放電電力Ｐout_3を定格出力Ｐcst_3に設定する（Ｐout_1＝Ｐmax_1，Ｐout_3＝Ｐcst_3）。
【００８５】
また、放電電力設定処理部４４は、最大出力Ｐmaxの２倍の値と定格出力Ｐcstとを加算した値と等しくなるケースＣ１６では、放電電力Ｐout_1、放電電力Ｐout_2、および放電電力Ｐout_3を、最大出力Ｐmax_1、最大出力Ｐmax_2、定格出力Ｐcst_3にそれぞれ設定する（Ｐout_1＝Ｐmax_1，Ｐout_2＝Ｐmax_2，Ｐout_3＝Ｐcst_3）。
【００８６】
そして、放電電力設定処理部４４は、必要電力Ｐｎが、最大出力Ｐmaxの２倍の値と定格出力Ｐcstとを加算した値より大きく、かつ、最大出力Ｐmaxの３倍未満であるケースＣ１７では、放電電力Ｐout_3が必要電力Ｐｎから最大出力Ｐmax_1および最大出力Ｐmax_2を減算した値となるように設定する（Ｐout_3＝Ｐｎ−Ｐmax_1−Ｐmax_2）。さらに、放電電力設定処理部４４は、放電電力Ｐout_1および放電電力Ｐout_2を最大出力Ｐmax_1および最大出力Ｐmax_2にそれぞれ設定する（Ｐout_1＝Ｐmax_1，Ｐout_2＝Ｐmax_2）。
【００８７】
また、放電電力設定処理部４４は、必要電力Ｐｎが、最大出力Ｐmaxの３倍と等しくなるケースＣ１８では、放電電力Ｐout_1、放電電力Ｐout_2、および放電電力Ｐout_3を、最大出力Ｐmax_1、最大出力Ｐmax_2、最大出力Ｐmax_3にそれぞれ設定する（Ｐout_1＝Ｐmax_1，Ｐout_2＝Ｐmax_2，Ｐout_3＝Ｐmax_3）。
【００８８】
このように、放電電力設定処理部４４は、必要電力Ｐｎが許容最小出力Ｐminの３倍以下であるとき、優先順位の高い蓄電池２１が優先的に許容最小出力Ｐminで出力し、優先順位の低い蓄電池２１から順に優先的に出力を停止する（０にする）ように放電電力を設定する。また、放電電力設定処理部４４は、必要電力Ｐｎが許容最小出力Ｐminの３倍より大きく定格出力Ｐcstの３倍以下であるとき、優先順位の高い蓄電池２１が優先的に定格出力Ｐcstで出力し、優先順位の低い蓄電池２１から順に優先的に許容最小出力Ｐminで出力するように放電電力を設定する。また、放電電力設定処理部４４は、必要電力Ｐｎが定格出力Ｐcstの３倍より大きく最大出力Ｐmaxの３倍以下であるとき、優先順位の高い蓄電池２１が優先的に最大出力Ｐmaxで出力し、優先順位の低い蓄電池２１から順に優先的に定格出力Ｐcstで出力するように放電電力を設定する。
【００８９】
次に、図７のフローチャートを参照し、蓄電池２１−１乃至２１−３の放電を制御する方法について説明する。
【００９０】
蓄電システム１１の起動に応じて処理が開始され、ステップＳ１１において、データ取得部４２は、蓄電システム１１が備える全ての蓄電池２１から、それぞれの充電状態および充放電回数を示すデータを取得する。そして、データ取得部４２は、蓄電池２１−１乃至２１−３の充電状態および充放電回数を示すデータを、放電順番決定部４３に供給する。
【００９１】
ステップＳ１２において、放電順番決定部４３は、データ取得部４２から供給されたデータに基づいて、メモリ３２に記憶されている放電順番テーブルを参照し、図４を参照して上述したように、蓄電池２１−１乃至２１−３に対する放電順番を決定する。
【００９２】
ステップＳ１３において、放電順番決定部４３は、蓄電池２１−１乃至２１−３全て対して放電順番を決定したか否かを判定し、蓄電池２１−１乃至２１−３全て対して放電順番を決定していないと判定された場合、処理はステップＳ１１に戻り、以下、同様の処理が繰り返される。
【００９３】
一方、ステップＳ１３において、放電順番決定部４３が、蓄電池２１−１乃至２１−３全て対して放電順番を決定したと判定した場合、処理はステップＳ１４に進む。
【００９４】
ステップＳ１４において、放電順番決定部４３は、ステップＳ１２で決定した蓄電池２１−１乃至２１−３の放電順番を放電電力設定処理部４４に供給する。これに応じて、放電電力設定処理部４４は、蓄電池２１−１乃至２１−３それぞれが出力する放電電力を設定する放電電力設定処理を行う。なお、複数の蓄電池２１の放電順番が同一である場合には、放電電力設定処理部４４は、例えば、それらの蓄電池２１の充放電回数を比較して、充放電回数が少ない方の放電を優先して放電電力設定処理を行う。
【００９５】
ステップＳ１５において、放電電力設定処理部４４は、ステップＳ１４の放電電力設定処理で設定した蓄電池２１−１乃至２１−３の放電電力を放電指示部４５に通知する。そして、放電指示部４５は、それぞれ設定された放電電力で出力を開始するように指示する制御信号を、放電部２３−１乃至２３−３に対して送信し、蓄電池２１−１乃至２１−３それぞれに設定された放電電力で出力が開始される。
【００９６】
ステップＳ１６において、判定部４６は、データ取得部４２が定期的に取得する蓄電池２１−１乃至２１−３の充電状態を示すデータに基づいて、放電順番決定部４３により放電順番を決定する処理を行うか否かを判定する。例えば、図４を参照して上述したように、放電中の蓄電池２１の充電状態が、上述した第２の閾値未満となった場合、判定部４６は、放電順番決定部４３により放電順番を決定する処理を行うと判定する。
【００９７】
ステップＳ１６では、判定部４６が、放電順番決定部４３により放電順番を決定する処理を行うと判定するまで処理が待機され、放電順番決定部４３により放電順番を決定する処理を行うと判定すると、処理はステップＳ１１に戻り、以下、同様の処理が行われる。
【００９８】
以上のように、蓄電システム１１では、蓄電池２１−１乃至２１−３の充電状態および充放電回数に基づいて、蓄電池２１−１乃至２１−３それぞれから放電する放電順番を決定することができ、図４を参照して説明したように、放電順番に従って放電を行う優先順位が決定される。これにより、蓄電システム１１は、蓄電池２１−１乃至２１−３の寿命、および、蓄電池２１−１乃至２１−３の充電状態との両方をバランスよく放電することができるので、システム全体として、より良好な性能を発揮することができる。また、蓄電システム１１では、充電状態および充放電回数に基づいて放電順番が設定された放電順番テーブルを利用して、蓄電池２１−１乃至２１−３の放電順番を決定するため、より簡易的な処理で、放電順番を決定することができる。
【００９９】
次に、図８は、図７のステップＳ１４における放電電力設定処理を説明するフローチャートである。
【０１００】
ステップＳ２１において、放電電力設定処理部４４は、負荷１６からの要求に応じて、蓄電システム１１から出力することが必要となる必要電力Ｐｎを求める。
【０１０１】
ステップＳ２２において、放電電力設定処理部４４は、ステップＳ２１で求めた必要電力Ｐｎが、定格出力Ｐcstの３倍より大きく最大出力Ｐmaxの３倍以下、許容最小出力Ｐminの３倍より大きく定格出力Ｐcstの３倍以下、および、許容最小出力Ｐminの３倍以下のいずれの範囲に含まれるかを判定する。
【０１０２】
ステップＳ２２において、放電電力設定処理部４４が、必要電力Ｐｎは定格出力Ｐcstの３倍より大きく最大出力Ｐmaxの３倍以下であると判定した場合、処理はステップＳ２３に進み、放電電力を設定する第１の設定処理が行われる。
【０１０３】
一方、ステップＳ２２において、放電電力設定処理部４４が、必要電力Ｐｎは許容最小出力Ｐminの３倍より大きく定格出力Ｐcstの３倍以下であると判定した場合、処理はステップＳ２４に進み、放電電力を設定する第２の設定処理が行われる。
【０１０４】
一方、ステップＳ２２において、放電電力設定処理部４４が、必要電力Ｐｎは許容最小出力Ｐminの３倍以下であると判定した場合、処理はステップＳ２５に進み、放電電力を設定する第３の設定処理が行われる。
【０１０５】
ステップＳ２３乃至Ｓ２５の処理後、放電電力設定処理は終了し、処理は図７のステップＳ１５に進む。
【０１０６】
次に、図９は、図８のステップＳ２３における第１の設定処理を説明するフローチャートである。
【０１０７】
ステップＳ３１において、放電電力設定処理部４４は、必要電力Ｐｎが、最大出力Ｐmax_1、最大出力Ｐmax_2、および最大出力Ｐmax_3を加算した値と等しいか否かを判定する。
【０１０８】
ステップＳ３１において、放電電力設定処理部４４が、必要電力Ｐｎは最大出力Ｐmax_1、最大出力Ｐmax_2、および最大出力Ｐmax_3を加算した値と等しいと判定した場合（Ｐｎ＝Ｐmax_1＋Ｐmax_2＋Ｐmax_3）、処理はステップＳ３２に進む。ステップＳ３２において、放電電力設定処理部４４は、放電電力Ｐout_1、放電電力Ｐout_2、および放電電力Ｐout_3を、最大出力Ｐmax_1、最大出力Ｐmax_2、および最大出力Ｐmax_3にそれぞれ設定する（Ｐout_1＝Ｐmax_1，Ｐout_2＝Ｐmax_2，Ｐout_3＝Ｐmax_3）。即ち、この場合、図６のケースＣ１８に対応する処理が行われる。
【０１０９】
一方、ステップＳ３１において、放電電力設定処理部４４が、必要電力Ｐｎは最大出力Ｐmax_1、最大出力Ｐmax_2、および最大出力Ｐmax_3を加算した値と等しくないと判定した場合、処理はステップＳ３３に進む。
【０１１０】
ステップＳ３３において、放電電力設定処理部４４は、必要電力Ｐｎが、最大出力Ｐmax_1、最大出力Ｐmax_2、および定格出力Ｐcst_3を加算した値以上であるか否かを判定する。ステップＳ３３において、放電電力設定処理部４４が、必要電力Ｐｎは最大出力Ｐmax_1、最大出力Ｐmax_2、および定格出力Ｐcst_3を加算した値以上であると判定した場合（Ｐmax_1＋Ｐmax_2＋Ｐmax_3＞Ｐｎ≧Ｐmax_1＋Ｐmax_2＋Ｐcst_3）、処理はステップＳ３４に進む。
【０１１１】
ステップＳ３４において、放電電力設定処理部４４は、放電電力Ｐout_1および放電電力Ｐout_2を、最大出力Ｐmax_1および最大出力Ｐmax_2にそれぞれ設定する（Ｐout_1＝Ｐmax_1，Ｐout_2＝Ｐmax_2）。そして、放電電力設定処理部４４は、放電電力Ｐout_3が、必要電力Ｐｎから最大出力Ｐmax_1および最大出力Ｐmax_2を減算した値となるように設定する（Ｐout_3＝Ｐｎ−Ｐmax_1−Ｐmax_2）。即ち、この場合、図６のケースＣ１６およびＣ１７に対応する処理が行われる。
【０１１２】
一方、ステップＳ３３において、放電電力設定処理部４４が、必要電力Ｐｎは最大出力Ｐmax_1、最大出力Ｐmax_2、および定格出力Ｐcst_3を加算した値以上でないと判定した場合（Ｐmax_1＋Ｐmax_2＋Ｐcst_3＞Ｐｎ）、処理はステップＳ３５に進む。
【０１１３】
ステップＳ３５において、放電電力設定処理部４４は、必要電力Ｐｎが、最大出力Ｐmax_1、定格出力Ｐcst_2、および定格出力Ｐcst_3を加算した値以上であるか否かを判定する。ステップＳ３５において、放電電力設定処理部４４が、必要電力Ｐｎは最大出力Ｐmax_1、定格出力Ｐcst_2、および定格出力Ｐcst_3を加算した値以上であると判定した場合（Ｐmax_1＋Ｐmax_2＋Ｐcst_3＞Ｐｎ≧Ｐmax_1＋Ｐcst_2＋Ｐcst_3）、処理はステップＳ３６に進む。
【０１１４】
ステップＳ３６において、放電電力設定処理部４４は、放電電力Ｐout_1および放電電力Ｐout_3を、最大出力Ｐmax_1および定格出力Ｐcst_3にそれぞれ設定する（Ｐout_1＝Ｐmax_1，Ｐout_3＝Ｐcst_3）。そして、放電電力設定処理部４４は、放電電力Ｐout_2が、必要電力Ｐｎから最大出力Ｐmax_1および定格出力Ｐcst_3を減算した値となるように設定する（Ｐout_2＝Ｐｎ−Ｐmax_1−Ｐcst_3）。即ち、この場合、図６のケースＣ１４およびＣ１５に対応する処理が行われる。
【０１１５】
一方、ステップＳ３５において、放電電力設定処理部４４が、必要電力Ｐｎは最大出力Ｐmax_1、定格出力Ｐcst_2、および定格出力Ｐcst_3を加算した値以上でないと判定した場合（Ｐmax_1＋Ｐcst_2＋Ｐcst_3＞Ｐｎ＞Ｐcst_1＋Ｐcst_2＋Ｐcst_3）、処理はステップＳ３７に進む。
【０１１６】
ステップＳ３７において、放電電力設定処理部４４は、放電電力Ｐout_2および放電電力Ｐout_3を、定格出力Ｐcst_2および定格出力Ｐcst_3にそれぞれ設定する（Ｐout_2＝Ｐcst_2，Ｐout_3＝Ｐcst_3）。そして、放電電力設定処理部４４は、放電電力Ｐout_1が、必要電力Ｐｎから定格出力Ｐcst_2および定格出力Ｐcst_3を減算した値となるように設定する（Ｐout_1＝Ｐｎ−Ｐcst_2−Ｐcst_3）。即ち、この場合、図６のケースＣ１３に対応する処理が行われる。
【０１１７】
そして、ステップＳ３２，Ｓ３４，Ｓ３６およびＳ３７の処理後、第１の設定処理は終了する。
【０１１８】
次に、図１０は、図８のステップＳ２４における第２の設定処理を説明するフローチャートである。
【０１１９】
ステップＳ４１において、放電電力設定処理部４４は、必要電力Ｐｎが、定格出力Ｐcst_1、定格出力Ｐcst_2、および定格出力Ｐcst_3を加算した値と等しいか否かを判定する。
【０１２０】
ステップＳ３１において、放電電力設定処理部４４が、必要電力Ｐｎは定格出力Ｐcst_1、定格出力Ｐcst_2、および定格出力Ｐcst_3を加算した値と等しいと判定した場合（Ｐｎ＝Ｐcst_1＋Ｐcst_2＋Ｐcst_3）、処理はステップＳ４２に進む。ステップＳ４２において、放電電力設定処理部４４は、放電電力Ｐout_1、放電電力Ｐout_2、および放電電力Ｐout_3を、定格出力Ｐcst_1、定格出力Ｐcst_2、および定格出力Ｐcst_3にそれぞれ設定する（Ｐout_1＝Ｐcst_1，Ｐout_2＝Ｐcst_2，Ｐout_3＝Ｐcst_3）。即ち、この場合、図６のケースＣ１２に対応する処理が行われる。
【０１２１】
一方、ステップＳ４１において、放電電力設定処理部４４が、必要電力Ｐｎは定格出力Ｐcst_1、定格出力Ｐcst_2、および定格出力Ｐcst_3を加算した値と等しくないと判定した場合、処理はステップＳ４３に進む。
【０１２２】
ステップＳ４３において、放電電力設定処理部４４は、必要電力Ｐｎが、定格出力Ｐcst_1、定格出力Ｐcst_2、および許容最小出力Ｐmin_3を加算した値以上であるか否かを判定する。ステップＳ４３において、放電電力設定処理部４４が、必要電力Ｐｎは定格出力Ｐcst_1、定格出力Ｐcst_2、および許容最小出力Ｐmin_3を加算した値以上であると判定した場合（Ｐcst_1＋Ｐcst_2＋Ｐcst_3＞Ｐｎ≧Ｐcst_1＋Ｐcst_2＋Ｐmin_3）、処理はステップＳ４４に進む。
【０１２３】
ステップＳ４４において、放電電力設定処理部４４は、放電電力Ｐout_1および放電電力Ｐout_2を、定格出力Ｐcst_1および定格出力Ｐcst_2にそれぞれ設定する（Ｐout_1＝Ｐcst_1，Ｐout_2＝Ｐcst_2）。そして、放電電力設定処理部４４は、放電電力Ｐout_3が、必要電力Ｐｎから定格出力Ｐcst_1および定格出力Ｐcst_2を減算した値となるように設定する（Ｐout_3＝Ｐｎ−Ｐcst_1−Ｐcst_2）。即ち、この場合、図６のケースＣ１０およびＣ１１に対応する処理が行われる。
【０１２４】
一方、ステップＳ４３において、放電電力設定処理部４４が、必要電力Ｐｎが、定格出力Ｐcst_1、定格出力Ｐcst_2、および許容最小出力Ｐmin_3を加算した値以上でないと判定した場合（Ｐcst_1＋Ｐcst_2＋Ｐmin_3＞Ｐｎ）、処理はステップＳ４５に進む。
【０１２５】
ステップＳ４５において、放電電力設定処理部４４は、必要電力Ｐｎが、定格出力Ｐcst_1、許容最小出力Ｐmin_2、および許容最小出力Ｐmin_3を加算した値以上であるか否かを判定する。ステップＳ４５において、放電電力設定処理部４４が、必要電力Ｐｎは定格出力Ｐcst_1、許容最小出力Ｐmin_2、および許容最小出力Ｐmin_3を加算した値以上であると判定した場合（Ｐcst_1＋Ｐcst_2＋Ｐmin_3＞Ｐｎ≧Ｐcst_1＋Ｐmin_2＋Ｐmin_3）、処理はステップＳ４６に進む。
【０１２６】
ステップＳ４６において、放電電力設定処理部４４は、放電電力Ｐout_1および放電電力Ｐout_3を、定格出力Ｐcst_1および許容最小出力Ｐmin_3にそれぞれ設定する（Ｐout_1＝Ｐcst_1，Ｐout_3＝Ｐmin_3）。そして、放電電力設定処理部４４は、放電電力Ｐout_2が、必要電力Ｐｎから定格出力Ｐcst_1および許容最小出力Ｐmin_3を減算した値となるように設定する（Ｐout_2＝Ｐｎ−Ｐcst_1−Ｐmin_3）。即ち、この場合、図６のケースＣ８およびＣ９に対応する処理が行われる。
【０１２７】
一方、ステップＳ４５において、放電電力設定処理部４４が、必要電力Ｐｎは定格出力Ｐcst_1、許容最小出力Ｐmin_2、および許容最小出力Ｐmin_3を加算した値以上でないと判定した場合（Ｐcst_1＋Ｐmin_2＋Ｐmin_3＞Ｐｎ＞Ｐmin_1＋Ｐmin_2＋Ｐmin_3）、処理はステップＳ４７に進む。
【０１２８】
ステップＳ４７において、放電電力設定処理部４４は、放電電力Ｐout_2および放電電力Ｐout_3を、許容最小出力Ｐmin_2および許容最小出力Ｐmin_3にそれぞれ設定する（Ｐout_2＝Ｐmin_2，Ｐout_3＝Ｐmin_3）。そして、放電電力設定処理部４４は、放電電力Ｐout_1が、必要電力Ｐｎから許容最小出力Ｐmin_2および許容最小出力Ｐmin_3を減算した値となるように設定する（Ｐout_1＝Ｐｎ−Ｐmin_2−Ｐmin_3）。即ち、この場合、図６のケースＣ７に対応する処理が行われる。
【０１２９】
そして、ステップＳ４２，Ｓ４４，Ｓ４６およびＳ４７の処理後、第２の設定処理は終了する。
【０１３０】
次に、図１１は、図８のステップＳ２５における第３の設定処理を説明するフローチャートである。
【０１３１】
ステップＳ５１において、放電電力設定処理部４４は、必要電力Ｐｎが、許容最小出力Ｐmin_1、許容最小出力Ｐmin_2、および許容最小出力Ｐmin_3を加算した値と等しいか否かを判定する。
【０１３２】
ステップＳ５１において、放電電力設定処理部４４が、必要電力Ｐｎは許容最小出力Ｐmin_1、許容最小出力Ｐmin_2、および許容最小出力Ｐmin_3を加算した値と等しいと判定した場合（Ｐｎ＝Ｐmin_1＋Ｐmin_2＋Ｐmin_3）、処理はステップＳ５２に進む。ステップＳ５２において、放電電力設定処理部４４は、放電電力Ｐout_1、放電電力Ｐout_2、および放電電力Ｐout_3を、許容最小出力Ｐmin_1、許容最小出力Ｐmin_2、および許容最小出力Ｐmin_3にそれぞれ設定する（Ｐout_1＝Ｐmin_1，Ｐout_2＝Ｐmin_2，Ｐout_3＝Ｐmin_3）。即ち、この場合、図６のケースＣ６に対応する処理が行われる。
【０１３３】
一方、ステップＳ５１において、放電電力設定処理部４４が、必要電力Ｐｎは許容最小出力Ｐmin_1、許容最小出力Ｐmin_2、および許容最小出力Ｐmin_3を加算した値と等しくないと判定した場合、処理はステップＳ５３に進む。
【０１３４】
ステップＳ５３において、放電電力設定処理部４４は、必要電力Ｐｎが、許容最小出力Ｐmin_1および許容最小出力Ｐmin_2を加算した値以上であるか否かを判定する。ステップＳ５３において、放電電力設定処理部４４が、必要電力Ｐｎは許容最小出力Ｐmin_1および許容最小出力Ｐmin_2を加算した値以上であると判定した場合（Ｐmin_1＋Ｐmin_2＋Ｐmin_3＞Ｐｎ≧Ｐmin_1＋Ｐmin_2）、処理はステップＳ５４に進む。
【０１３５】
ステップＳ５４において、放電電力設定処理部４４は、放電電力Ｐout_1および放電電力Ｐout_2を、許容最小出力Ｐmin_1および許容最小出力Ｐmin_2にそれぞれ設定する（Ｐout_1＝Ｐmin_1，Ｐout_2＝Ｐmin_2）。そして、放電電力設定処理部４４は、放電電力Ｐout_3が、必要電力Ｐｎから許容最小出力Ｐmin_1および許容最小出力Ｐmin_2を減算した値となるように設定する（Ｐout_3＝Ｐｎ−Ｐmin_1−Ｐmin_2）。即ち、この場合、図６のケースＣ４およびＣ５に対応する処理が行われる。
【０１３６】
一方、ステップＳ５３において、放電電力設定処理部４４が、必要電力Ｐｎは容最小出力Ｐmin_1および許容最小出力Ｐmin_2を加算した値以上でないと判定した場合（Ｐcst_1＋Ｐcst_2＞Ｐｎ）、処理はステップＳ５５に進む。
【０１３７】
ステップＳ５５において、放電電力設定処理部４４は、必要電力Ｐｎが、許容最小出力Ｐmin_1以上であるか否かを判定する。ステップＳ５５において、放電電力設定処理部４４が、必要電力Ｐｎは許容最小出力Ｐmin_1以上であると判定した場合（Ｐmin_1＋Ｐmin_2＞Ｐｎ≧Ｐmin_1）、処理はステップ５６に進む。
【０１３８】
ステップＳ５６において、放電電力設定処理部４４は、放電電力Ｐout_1を許容最小出力Ｐmin_1に設定するとともに、放電電力Ｐout_3に０を設定する（Ｐout_1＝Ｐmin_1，Ｐout_3＝０）。そして、放電電力設定処理部４４は、放電電力Ｐout_2が、必要電力Ｐｎから許容最小出力Ｐmin_1を減算した値となるように設定する（Ｐout_2＝Ｐｎ−Ｐmin_1）。即ち、この場合、図６のケースＣ２およびＣ３に対応する処理が行われる。
【０１３９】
一方、ステップＳ５５において、放電電力設定処理部４４が、必要電力Ｐｎは許容最小出力Ｐmin_1以上でないと判定した場合（Ｐmin_1＞Ｐｎ）、処理はステップＳ５７に進む。
【０１４０】
ステップＳ５７において、放電電力設定処理部４４は、放電電力Ｐout_2および放電電力Ｐout_3を０にそれぞれ設定する（Ｐout_2＝０，Ｐout_3＝０）。そして、放電電力設定処理部４４は、放電電力Ｐout_1が必要電力Ｐｎとなるように設定する（Ｐout_1＝Ｐｎ）。即ち、この場合、図６のケースＣ１に対応する処理が行われる。
【０１４１】
そして、ステップＳ５２，Ｓ５４，Ｓ５６およびＳ５７の処理後、第３の設定処理は終了する。
【０１４２】
以上のように、放電電力設定処理部４４は、負荷１６からの要求に応じて出力することが必要となる必要電力を供給するために、放電順番決定部４３により決定された放電順位、および、最大出力Ｐmax、定格出力Ｐcst、および許容最小出力Ｐminに基づいて、蓄電池２１−１乃至２１−３それぞれが出力する放電電力を設定する。これにより、放電電力設定処理部４４は、許容最小出力Ｐmin以下で電力が出力されることが回避されるように、また、できるだけ最大効率となる定格出力Ｐcstで電力が出力されるように放電電力を設定することができる。
【０１４３】
従って、蓄電システム１１は、蓄電池２１−１乃至２１−３の寿命、および、蓄電池２１−１乃至２１−３の充電状態との両方のバランスを考慮するとともに、蓄電池２１−１乃至２１−３全体として良好な変換効率で電力を出力することができ、より良好な性能を発揮することができる。
【０１４４】
また、上述したように、蓄電システム１１では、蓄電池２１−１乃至２１−３の充電状態および充放電回数に基づいて、蓄電池２１−１乃至２１−３それぞれから放電する順番を決定することにより、蓄電池２１−１乃至２１−３の寿命、および、蓄電池２１−１乃至２１−３の充電状態との両方をバランスよく放電することができる。
【０１４５】
即ち、蓄電システム１１では、蓄電池２１−１乃至２１−３のいずれか１つの充放電回数が突出したり、蓄電池２１−１乃至２１−３の充電状態にバラツキが発生したりしないように、蓄電池２１−１乃至２１−３から放電が行われる。これにより、蓄電池２１−１乃至２１−３の寿命が偏ることや、停電時に最大の容量で駆動できる時間が短くなることなど、システム全体としての性能が低下することを回避することができる。
【０１４６】
つまり、蓄電システム１１は、蓄電池２１−１乃至２１−３の寿命を平均化してシステム全体としての寿命を延長することができるとともに、停電時に最大の容量で駆動できる時間をより長くすることができるので、より良好な性能を発揮することができる。
【０１４７】
ここで、図１２を参照して、蓄電システム１１において、停電時に最大の容量で駆動できる時間をより長くすることができることについて説明する。
【０１４８】
図１２Ａには、充電状態にバラツキのある蓄電池２１−１乃至２１−３が示されており、図１２Ｂには、充電状態にバラツキのない蓄電池２１−１乃至２１−３が示されている。
【０１４９】
例えば、図１２Ａに示すように、蓄電池２１−１の充電状態を５０％とし、蓄電池２１−２の充電状態を３０％とし、蓄電池２１−３の充電状態を１０％とする。この場合、蓄電池２１−１乃至２１−３に蓄積可能な容量を１０ＫＷｈとすると、蓄電池２１−１に蓄積されている容量は５ＫＷｈとなり、蓄電池２１−３に蓄積されている容量は３ＫＷｈとなり、蓄電池２１−３に蓄積されている容量は１ＫＷｈとなる。
【０１５０】
このように、蓄電池２１−１乃至２１−３の充電状態にバラツキが発生しているとき、図１２Ａの右側のグラフに示されているように、蓄電池２１−１乃至２１−３の全体の最大の容量である１５ＫＷで駆動できる時間は、蓄電池２１−３に蓄積されている電力が消費されるまでとされる。その後、蓄電池２１−２に蓄積されている電力が消費されるまで、１０ＫＷで駆動した後、蓄電池２１−１だけによる５ＫＷで駆動されることになる。
【０１５１】
一方、図１２Ｂに示すように、蓄電池２１−１乃至２１−３の充電状態が３０％で均一であるとする。この場合、蓄電池２１−１乃至２１−３に蓄積可能な容量を１０ＫＷｈとすると、蓄電池２１−１乃至２１−３に蓄積されている容量はそれぞれ３ＫＷｈとなる。
【０１５２】
このように、蓄電池２１−１乃至２１−３の充電状態にバラツキが発生していないとき、図１２Ｂの右側のグラフに示されているように、蓄電池２１−１乃至２１−３の全体の最大の容量である１５ＫＷで駆動できる時間は、蓄電池２１−１乃至２１−３の全てに蓄積されている電力が消費されるまでとされる。即ち、蓄電池２１−１乃至２１−３は、それぞれの電力を消費しきる最後まで１５ＫＷでの出力が可能である。
【０１５３】
従って、蓄電池２１−１乃至２１−３の総容量（グラフの面積）は、図１２Ａの例と図１２Ｂの例とで、どちらも９ＫＷｈで同一であっても、蓄電池２１−１乃至２１−３の全体の最大の容量である１５ＫＷで駆動できる時間は、蓄電池２１−１乃至２１−３の充電状態にバラツキが発生していないときの方が長くなる。
【０１５４】
上述したように、蓄電システム１１では、充電状態に基づいて放電順番が設定された放電順番テーブルを参照して、蓄電池２１−１乃至２１−３の放電順番を決定するため、蓄電池２１−１乃至２１−３の放電順番にバラツキが発生するのを抑制して、より均一な充電状態となるように放電することができる。従って、蓄電システム１１では、停電時においても、最大の容量で駆動することができる時間をより長くすることができる。
【０１５５】
次に、図１３は、本技術を適用した蓄電システムの第２の実施の形態の構成例を示すブロック図である。
【０１５６】
図１３に示されている蓄電システム１１’において、図１の蓄電システム１１と共通する構成については同一の符号を付し、詳細な説明は省略する。即ち、蓄電システム１１’は、蓄電池２１−１乃至２１−３およびバッテリマネジメントシステム２４−１乃至２４−３を備えており、電力配線１４を介して、電源１５、並びに、負荷１６−１および１６−２が接続されている点で、図１の蓄電システム１１と共通する。
【０１５７】
但し、蓄電システム１１’は、パワーコンディショナ５１−１乃至５１−３を備え、パワーコンディショナ５１−１乃至５１−３が制御部５２−１乃至５２−３を有しており、パワーコンディショナ５１−１乃至５１−３を介して蓄電池２１−１乃至２１−３がそれぞれ電力配線１４に接続されている点で、図１の蓄電システム１１と異なる構成とされる。なお、パワーコンディショナ５１−１乃至５１−３は、それぞれ同様に構成されており、以下、パワーコンディショナ５１−１乃至５１−３を区別する必要ない場合にはパワーコンディショナ５１と称する。また、制御部５２についても同様とする。
【０１５８】
パワーコンディショナ５１−１乃至５１−３は、蓄電池２１−１乃至２１−３の充電状態に応じて入出力する電力をそれぞれ調整して、蓄電池２１−１乃至２１−３に電力を充電したり、蓄電池２１−１乃至２１−３から電力を放電したりする。
【０１５９】
制御部５２−１乃至５２−３は、それぞれ対応するバッテリマネジメントシステム２４−１乃至２４−３と通信配線を介して接続されているとともに、制御部５２−１乃至５２−３どうしも通信配線を介して接続されている。また、制御部５２−１乃至５２−３は、それぞれ対応するバッテリマネジメントシステム２４−１乃至２４−３から、蓄電池２１−１乃至２１−３の充電状態および充放電回数を示すデータを取得する。そして、制御部５２−１乃至５２−３は、互いに通信を行って、蓄電池２１−１乃至２１−３の放電順番を決定して放電を行う。
【０１６０】
つまり、制御部５２−１乃至５２−３は、放電順番テーブルをそれぞれ参照して、対応する蓄電池２１−１乃至２１−３の放電順番を決定する。そして、制御部５２−１乃至５２−３は、互いの放電順番を比較して、優先順位が最も高い放電順番の蓄電池２１に対応する制御部５２が、蓄電池２１からの放電を行う。そして、放電中の蓄電池２１に対応する制御部５２は、その蓄電池２１の充電状態が第２の閾値未満となると、他の制御部５２に対して放電順番を決定する処理を行うように通知し、再度、放電順番が決定される。
【０１６１】
このように、蓄電システム１１’は、蓄電システム１１のように全体を制御する制御装置１３を備えることなく、蓄電システム１１と同様に、システム全体として、より良好な性能を発揮することができる。
【０１６２】
なお、本実施の形態においては、CPU３３が、メモリ３２に記憶されている放電順番テーブルに放電順番が予め設定されており、放電順番テーブルを参照して蓄電池２１−１乃至２１−３の放電順番を決定するように説明したが、CPU３３は、放電順番テーブルを参照せずに放電順番を決定してもよい。例えば、CPU３３は、放電順番テーブルと同様に充放電回数および充電状態に基づいて放電順番が予め設定されている判定条件を使用して、蓄電池２１−１乃至２１−３の充放電回数および充電状態によって判定された放電順番を決定することができる。
【０１６３】
例えば、CPU３３は、所定の充放電回数ＣＮＴ０乃至ＣＮＴ６および充電状態ＳＯＣ０乃至ＳＯＣ６を用いた判定条件に基づいた判定を行うことにより、蓄電池２１の充放電回数がＣＮＴ（ｎ）乃至ＣＮＴ（ｎ＋１）（但し、ｎ＝０〜５）で区別される範囲のいずれに含まれるか、および、蓄電池２１の充電状態が定数ＣＮＴ（ｍ）乃至ＣＮＴ（ｍ＋１）（但し、ｍ＝０〜５）で区別される範囲のいずれに含まれるかに基づいて、放電順番を決定することができる。
【０１６４】
また、蓄電池２１の放電順番を決定するパラメータとして、上述した充放電回数を使用する他、充電回数または放電回数のいずれか一方、あるいは、その両方を使用してもよい。さらに、蓄電池２１の放電順番を決定するパラメータとして、上述した蓄電池２１の充電状態の他、蓄電池２１の電圧を使用してもよい。このようなパラメータを使用する場合には、それぞれのパラメータに従って作成された放電順番テーブルを参照して、放電順番が決定される。
【０１６５】
なお、上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１６６】
また、それらのプログラムは、あらかじめ記憶部に記憶させておく他、ネットワークインタフェースなどよりなる通信部を介して、あるいは、磁気ディスク（フレキシブルディスクを含む）、光ディスク（CD-ROM(Compact Disc-Read Only Memory),DVD(Digital Versatile Disc)等）、光磁気ディスク、または半導体メモリなどのリムーバブルメディアを駆動するドライブを介して、コンピュータにインストールすることができる。
【０１６７】
また、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。なお、本明細書において、システムとは、複数の装置により構成される装置全体を表すものである。
【０１６８】
なお、本実施の形態は、上述した実施の形態に限定されるものではなく、本開示の要旨を逸脱しない範囲において種々の変更が可能である。
【符号の説明】
【０１６９】
１１  蓄電システム，  １２  蓄電装置，  １３  制御装置，  １４  電力配線，  １５  電源，  １６  負荷，  ２１  蓄電池，  ２２  充電部，  ２３  放電部，  ２４  バッテリマネジメントシステム，  ３１  入出力部，  ３２  メモリ，  ３３  CPU，  ４１  蓄電池制御装置，  ４２  データ取得部，  ４３  放電順番決定部，  ４４  放電電力設定処理部，  ４５  放電指示部，  ４６  判定部，  ５１  パワーコンディショナ，  ５２  制御部
【図１】
0005924524.tif 000002
【図２】
0005924524.tif 000003
【図３】
0005924524.tif 000004
【図４】
0005924524.tif 000005
【図５】
0005924524.tif 000006
【図６】
0005924524.tif 000007
【図７】
0005924524.tif 000008
【図８】
0005924524.tif 000009
【図９】
0005924524.tif 000010
【図１０】
0005924524.tif 000011
【図１１】
0005924524.tif 000012
【図１２】
0005924524.tif 000013
【図１３】
0005924524.tif 000014